(57)【要約】      （修正有）【課題】質量の大きい作動部品を動作規制し得る強度、大きさ、位置でロック部品が自由に設計可能となる落し錠を提供する。【解決手段】係止ロッド２３を上下移動させることにより係止凹部２９に挿入又は抜脱して施解錠する落し錠１００であって、錠箱に内設されレバーハンドル２１の回動に従動して上下移動するスライド板３７と、係止ロッド２３を垂設するとともにスライド板に歯車を介して噛合することでスライド板と上下逆移動されるスライドラック３１と、錠箱に揺動自在に設けられ揺動方向の一方でスライド板の下降を規制するとともに揺動方向の他方で該規制を解除する主規制板５３と、錠箱を貫通して回動自在に設けられ端部に施解錠操作手段１９の連結される施解錠軸１９ａと、施解錠軸に設けられ施解錠操作手段の施錠方向の回転位置で主規制板の他方の揺動方向への揺動を阻止する副規制板４３とを設けた。【選択図】図８
2008202345.tif 000002
【特許請求の範囲】
【請求項１】
係止ロッドを上下移動させることにより係止凹部に挿入又は抜脱して施解錠する落し錠であって、
錠箱に内設されレバーハンドルの回動に従動して上下移動するスライド板と、
前記係止ロッドを垂設するとともに該スライド板に歯車を介して噛合することで該スライド板と上下逆移動されるスライドラックと、
前記錠箱に揺動自在に設けられ揺動方向の一方で前記スライド板の下降を規制するとともに揺動方向の他方で該規制を解除する主規制板と、
前記錠箱を貫通して回動自在に設けられ端部に施解錠操作手段が連結される施解錠軸と、
該施解錠軸に設けられ前記施解錠操作手段の施錠方向の回転位置で前記主規制板の他方の揺動方向への揺動を阻止する副規制板と、
を具備したことを特徴とする落し錠。
【請求項２】
前記主規制板によって下降が規制された前記スライド板によって、該スライド板にリンク接合された前記レバーハンドルの回動が規制されることを特徴とする請求項１記載の落し錠。
【請求項３】
前記スライド板が、前記錠箱とに渡って配設された付勢手段によって上下移動端のいずれかに付勢配置されることを特徴とする請求項１又は２記載の落し錠。
【発明の詳細な説明】
【技術分野】
【０００１】
本発明は、上下移動させる係止ロッドを係止凹部に挿入又は抜脱して施解錠を可能とする落し錠に関する。
【背景技術】
【０００２】
被着体である例えば門扉には、開閉端側の下部に、係止ロッドを下方へ突出自在に設け、地面に設けた係止凹部にこの係止ロッド先端を挿入することで、扉を施錠可能とする落し錠や、グレモン錠（例えば特許文献１参照）が取り付けられることがある。この種の落し錠は、錠箱に昇降自在なスライドラックを内蔵する。スライドラックは、扉に回動自在に設けられたレバーハンドルの回動操作に従動して昇降自在となり、且つ上記した係止ロッドを螺合などにより突出長さ調整自在に連結している。
【０００３】
したがって、レバーハンドルが操作され、スライドラックが昇降されると、これに伴って係止ロッドも昇降され、係止ロッドの下端部が、地面に設けられた係止凹部に対して抜脱又は挿入され、扉が解錠又は施錠される。落し錠は、特に門扉などに取り付けられた場合、防犯上施錠（施錠状態にロック）可能であることが好ましい。一般に扉の施解錠では木口より進退させるデッドボルトを、建具枠側のストライクに挿抜させ、その進退をシリンダ錠による施解錠操作によって可能としている。つまり、合鍵によりシリンダ錠が回転操作されれば、デッドボルトを後退させる解錠が可能となった。
【特許文献１】特開２００２−４７８４１号公報
【発明の開示】
【発明が解決しようとする課題】
【０００４】
門扉などに設けられる落し錠は、その施錠係合手段として係止ロッドを備える。この係止ロッドは、上記したスライドラックなどに連結されて昇降作動されることにより、地面などの係止凹部に対して進退される。落し錠は、係止ロッドの昇降動作を規制することにより施錠状態とすることが可能となるが、通常のデッドボルトの進退に比べ、作動部材の質量が大きくなるため、例えば門扉などに取り付けられた場合、扉を揺するなどして振動、衝撃を加えることにより、作動部材の慣性力によって施錠部品（ロック部品）の施錠状態が解除される虞があった。また、門扉にシリンダ錠を設けた場合、シリンダ錠の回動出力部材に直結する施解錠軸に、直接スライドラックの昇降を規制する規制部材を設けても、作動部材の質量が大きいため、昇降を規制し得る強度、大きさ、位置で規制部材を形成し難い問題があった。
【０００５】
本発明は上記状況に鑑みてなされたもので、質量の大きい作動部品を動作規制し得る強度、大きさ、位置でロック部品が自由に設計可能となる落し錠を提供し、もって、被着体を揺するなどの不正解錠行為に対する施錠信頼性の向上を図ることを目的とする。
【課題を解決するための手段】
【０００６】
次に、上記の課題を解決するための手段を、実施の形態に対応する図面を参照して説明する。
本発明の請求項１記載の落し錠は、係止ロッド２３を上下移動させることにより係止凹部２９に挿入又は抜脱して施解錠する落し錠１００であって、
錠箱１７に内設されレバーハンドル２１の回動に従動して上下移動するスライド板３７と、
前記係止ロッド２３を垂設するとともに該スライド板３７に歯車７１，７３を介して噛合することで該スライド板３７と上下逆移動されるスライドラック３１と、
前記錠箱１７に揺動自在に設けられ揺動方向の一方で前記スライド板３７の下降を規制するとともに揺動方向の他方で該規制を解除する主規制板５３と、
前記錠箱１７を貫通して回動自在に設けられ端部に施解錠操作手段１９の連結される施解錠軸１９ａと、
該施解錠軸１９ａに設けられ前記施解錠操作手段１９の施錠方向の回転位置で前記主規制板５３の他方の揺動方向への揺動を阻止する副規制板４３と、
を具備したことを特徴とする。
【０００７】
この落し錠では、係止ロッド２３を係止凹部２９へ挿入させるスライド板３７の上端移動位置（すなわち、施錠位置）において、主規制板（ロック部品）５３がスライド板３７に係止して、その下降が規制されるとともに、さらに副規制板４３が主規制板５３に当接して、主規制板５３の規制解除方向への揺動が阻止される。つまり、ロック構造が、スライド板３７の下降を規制する主規制板５３と、この主規制板５３の規制解除を阻止する副規制板４３との２部材より構成される。これにより、施解錠軸１９ａに設けられた１部材で直接スライド板３７の下降が規制される構造に比べ、主規制板５３が、スライド板３７の下降阻止専用の強度、大きさ、位置で構成可能となる。すなわち、主規制板５３の設計自由度が高まる。
【０００８】
請求項２記載の落し錠は、前記主規制板５３によって下降が規制された前記スライド板３７によって、該スライド板３７にリンク接合された前記レバーハンドル２１の回動が規制されることを特徴とする。
【０００９】
この落し錠では、施解錠操作手段１９が施錠に操作されると、副規制板４３が主規制板５３を押圧して規制位置へと揺動させ、その結果、スライド板３７の下降が規制される。移動規制されたスライド板３７によって、リンク接続されたレバーハンドル２１の回動操作も不能となる。
【００１０】
請求項３記載の落し錠は、前記スライド板３７が、前記錠箱１７とに渡って配設された付勢手段６７によって上下移動端のいずれかに付勢配置されることを特徴とする。
【００１１】
この落し錠では、スライド板３７が上方移動端へ配置され、係止ロッド２３が係止凹部２９へ挿入される施錠状態では、付勢手段６７を介して付勢されるスライド板３７により係止ロッド２３が係止凹部挿入方向へ付勢される。また、スライド板３７が下方移動端へ配置され、係止ロッド２３が係止凹部２９から抜脱される解錠状態では、付勢手段６７を介して付勢されるスライド板３７により係止ロッド２３が係止凹部２９から離反した上昇位置に保持される。
【発明の効果】
【００１２】
本発明に係る請求項１記載の落し錠によれば、レバーハンドルに従動して上下移動するスライド板と、係止ロッドを垂設するとともに歯車を介しスライド板と上下逆移動されるスライドラックと、揺動方向の一方でスライド板の下降を規制するとともに他方で規制を解除する主規制板と、施解錠軸に設けられ施解錠操作手段の施錠方向の回転位置で主規制板の他方の揺動方向への揺動を阻止する副規制板とを備えたので、係止ロッドを係止凹部へ挿入させるスライド板の上端移動位置において、主規制板がスライド板に係止してその下降を規制するとともに、さらに副規制板が主規制板に当接して主規制板の規制解除方向への揺動を阻止する。つまり、ロック構造が、スライド板の下降を規制する主規制板と、この主規制板の規制解除を阻止する副規制板との２部材より構成される。これにより、施解錠軸に設けられた１部材で直接スライド板の下降を規制する構造に比べ、主規制板を、スライド板の下降阻止専用の強度、大きさ、位置で構成でき、スライド板を高い信頼性で下降規制できる。この結果、落し錠の被着体である扉を揺するなどの不正解錠行為に対する施錠信頼性を向上させることができる。
【００１３】
請求項２記載の落し錠によれば、主規制板によって下降が規制されたスライド板によって、スライド板にリンク接合されたレバーハンドルの回動が規制されるので、施解錠操作手段が施錠に操作されると、スライド板の下降が規制され、その結果、移動規制されたスライド板によってレバーハンドルの回動操作も不能となり、レバーハンドル回動操作の可否によって施解錠の有無が容易に把握可能となる。
【００１４】
請求項３記載の落し錠によれば、スライド板が、錠箱とに渡って配設された付勢手段によって上下移動端のいずれかに付勢配置されるので、スライド板が上方移動端へ配置され、係止ロッドが係止凹部へ挿入される施錠状態では、付勢手段を介して付勢されるスライド板により係止ロッドが係止凹部挿入方向へ付勢され、振動などによっても係止ロッドが容易に係止解除されなくなる。また、スライド板が下方移動端へ配置され、係止ロッドが係止凹部から抜脱される解錠状態では、付勢手段を介して付勢されるスライド板により係止ロッドが係止凹部から離反した上昇位置に保持され、被着体である扉が開閉されても、扉から係止ロッドが垂下して地面に接触することがない。
【発明を実施するための最良の形態】
【００１５】
以下、本発明に係る落し錠の好適な実施の形態を図面を参照して詳細に説明する。
図１は本発明に係る落し錠の備えられた門扉の正面図である。
本実施の形態による落し錠１００は、例えば門柱１１にヒンジ１３を介して開閉自在に取り付けられた門扉１５の落し錠１００に好適に用いられる。落し錠１００は、下方向にスライドして突出する係止ロッド２３を備える。係止ロッド２３は、地面２５に設けられる係止凹部２９に、先端の係止杆２３ａが挿入されることで、門扉１５の開動を規制、すなわち閉扉となり、さらに施錠となる。係止凹部２９は、地面２５に挿嵌されるキャップ状部品２７に形成されている。
【００１６】
落し錠１００は、錠箱１７を門扉１５に内蔵してなる。錠箱１７にはシリンダ錠１９，不図示のサムターン、レバーハンドル２１が設けられ、シリンダ錠１９は門扉１５の表面に表出する。不図示のサムターンは門扉１５の裏面に表出し、レバーハンドル２１は門扉１５の表裏面で回動自在となって表出する。落し錠１００は、レバーハンドル２１の回転に従動して上下移動されるスライドラック３１を有する。スライドラック３１には連結ブロック３３が固定され、連結ブロック３３は上記の係止ロッド２３を所望の突出長に調整可能に且つ緩みを生じさせることなく連結する。
【００１７】
図２は図１に示した錠箱内部の側面図である。
スライドラック３１にはラック３１ａが形成され、ラック３１ａは落し錠１００の後述する歯車に噛合する。スライドラック３１の下部には上記の連結ブロック３３が固定され、連結ブロック３３はスライドラック３１と一体に上下移動される。連結ブロック３３には係止ロッド２３の雄ネジ２３ａが螺合される。
【００１８】
錠箱１７には固定用のフランジ１７ａが上下に設けられ、フランジ１７ａはネジ３５によって門扉１５の戸先板に螺着される。錠箱１７の略中央にはレバーハンドル軸２１ａが回動自在に設けられ、レバーハンドル軸２１ａの両端には扉面で回動自在となるレバーハンドル２１が固定される。
【００１９】
図３は図２の要部拡大図、図４は図３の要部分解斜視図である。
レバーハンドル軸２１ａの錠箱１７内にはカム板３９の角穴３９ａが固定され、カム板３９は先端のピン穴３９ｂに係合ピン４１を嵌着している。錠箱１７内にはスライド板３７が上下移動自在に設けられ、スライド板３７は係合穴３７ｂに係合ピン４１を係合することでレバーハンドル２１の回動に従動して昇降される。
【００２０】
スライド板３７は、下部の長穴３７ｃに錠箱側ガイドピン６５を係合させて昇降がガイドされる。スライド板３７の凸部には図４に示すピン穴３７ｅが穿設され、ピン穴３７ｅはバネピン６３を嵌入する。錠箱側ガイドピン６５とバネピン６３との間には付勢手段である保持バネ６７が配設され、保持バネ６７はスライド板３７を上下移動端のいずれかに付勢配置する。
【００２１】
スライド板３７は、長穴３７ｃの下端が錠箱側ガイドピン６５に当接することで上昇が阻止される。カム板３９は、錠箱１７に突設されたストッパピン６１に当接することでそれ以上の時計回りの回転が阻止される。これにより、レバーハンドル２１は、略９０°の範囲で回動角度が規制されるようになっている。
【００２２】
錠箱１７には施解錠操作手段であるシリンダ錠１９等に連結される施解錠軸１９ａが回動自在に設けられている。施解錠軸１９ａは一端に扉表面のシリンダ錠１９が連結され、他端に扉裏面のサムターン摘みが連結される。錠箱１７内における施解錠軸１９ａには副規制板であるダルマ４３が固定され、ダルマ４３は錠箱１７内に起立した一対の凸部４９，５１に当接することで、施解錠軸１９ａの回転角度を略９０°の範囲に規制する。ダルマ４３には突座４３ａが形成され、突座４３ａは支持軸４５によって支持された付勢バネ４７の一端に押圧され、これにより回転範囲の何れか一方に付勢配置される。
【００２３】
ダルマ４３の外周には略三角形状の押圧突起４３ｂが突設され、押圧突起４３ｂは後述の主規制板であるロッキングボード（ロック部品）５３を押圧する。
【００２４】
スライド板３７には上下に歯部を並設したラック３７ａが形成される。錠箱１７には支軸６９によって小歯車７３が回動自在に支持され、小歯車７３はラック３７ａに噛合している。小歯車７３には一体回転する大歯車７１が設けられ、大歯車７１はスライドラック３１のラック３１ａに噛合している。スライドラック３１は、ラック３１ａの形成される縦杆部３１ｂに上下に長い長穴３１ｃが形成され、この長穴３１ｃが門扉１５の内部に設けられたガイド部３５ａに案内される。
【００２５】
落し錠１００は、レバーハンドル２１が回動操作されると、スライド板３７が上下移動され、これに伴って小歯車７３及び大歯車７１が回転し、大歯車７１に噛合するスライドラック３１が従動して上下移動され、係止ロッド２３の係止杆２３ａが係止凹部２９に対して抜脱又は挿入される。つまり、スライドラック３１は、スライド板３７と上下逆移動される。
【００２６】
錠箱１７内には上記した主規制板であるロッキングボード５３が支軸５５に揺動自在に設けられ、ロッキングボード５３は揺動方向の一方でスライド板３７の下降を規制するとともに揺動方向の他方でこの規制を解除する。ロッキングボード５３は、上端に移動したスライド板３７の係止部３７ｄに係止して、スライド板３７の下方向への移動を規制する（図３の状態参照）。つまり、係止凹部２９に対する係止杆２３ａの抜脱を規制する。ロッキングボード５３は、一端が支軸５９に当接された付勢バネ５７によって図３の反時計回りに付勢される。
【００２７】
また、このロッキングボード５３の係止解除方向の回転（図３の反時計回りの回転）は、上記したダルマ４３の押圧突起４３ｂによって規制される。すなわち、ダルマ４３は、施解錠操作手段の施錠方向の回転位置で、ロッキングボード５３の他方の揺動方向への揺動を阻止する。つまり、スライド板３７の下降は、ロッキングボード５３と、このロッキングボード５３を規制するダルマ４３とによって二段階でロックされるようになっている。
【００２８】
落し錠１００では、施解錠操作手段が施錠に操作されると、ダルマ４３がロッキングボード５３を押圧して規制位置へと揺動させ、その結果、スライド板３７の下降が規制される。これにより、移動規制されたスライド板３７によって、リンク接続されたレバーハンドル２１の回動操作も不能となることから、レバーハンドル回動操作の可否によって施解錠の有無が容易に把握可能となっている。
【００２９】
次に、落し錠１００の作用を説明する。
図５は解錠時のロッド係止状態における錠箱を（ａ）、レバーハンドル及び係止ロッドを（ｂ）に表した動作説明図である。
シリンダ錠１９の施錠されていない解錠時のロッド係止状態では、スライド板３７が上端位置に移動され、スライドラック３１が下端位置に配置されることで、係止ロッド２３が係止凹部２９に挿入され、扉の開閉が規制される。この状態で、ロッキングボード５３は、付勢バネ５７によってスライド板３７との係合位置から退避する方向へ回転配置されている。
【００３０】
図６はロッド挿入前又は抜脱後の錠箱を（ａ）、レバーハンドル及び係止ロッドを（ｂ）に表した動作説明図である。
レバーハンドル２１が回転されると、スライド板３７が下降され、小歯車７３及び大歯車７１を介してスライドラック３１が上昇される。これにより、係止ロッド２３が係止凹部２９から抜脱され、門扉１５の開動が可能となる。
【００３１】
図７は解錠時のロッド抜脱状態における錠箱を（ａ）、レバーハンドル及び係止ロッドを（ｂ）に表した動作説明図である。
レバーハンドル２１が完全にロッド係止解除方向へ回転されると、スライドラック３１が下端に配置され、保持バネ６７によってその位置で保持される。つまり、係止ロッド２３が上昇した位置に保持される。
【００３２】
図８は施錠時のロッド係止状態における錠箱を（ａ）、レバーハンドル及び係止ロッドを（ｂ）に表した動作説明図である。
門扉１５が閉止され、レバーハンドル２１が回動されて係止ロッド２３が係止凹部２９に挿入された状態において、シリンダ錠１９又はサムターン摘みが施錠操作されると、施解錠軸１９ａが反時計回りに回転され、押圧突起４３ｂがロッキングボード５３の上面を押圧する。押圧されたロッキングボード５３は、時計回りに回転されることで、上端配置されたスライド板３７の係止部３７ｄに係止し、スライド板３７の下降を確実に阻止する。
【００３３】
このように落し錠１００では、係止ロッド２３を係止凹部２９へ挿入させるスライド板３７の上端移動位置（すなわち、施錠位置）において、ロッキングボード５３がスライド板３７に係止して、その下降が規制されるとともに、さらにダルマ４３がロッキングボード５３に当接して、ロッキングボード５３の規制解除方向への揺動が阻止される。つまり、ロック構造が、スライド板３７の下降を規制するロッキングボード５３と、このロッキングボード５３の規制解除を阻止するダルマ４３との２部材より構成される。これにより、施解錠軸１９ａに設けられた１部材で直接スライド板３７の下降が規制される構造に比べ、ロッキングボード５３が、スライド板３７の下降阻止専用の強度、大きさ、位置で構成可能となる。すなわち、ロッキングボード５３の設計自由度が高まる。
【００３４】
また、スライド板３７が上方移動端へ配置され、係止ロッド２３が係止凹部２９へ挿入される施錠状態では、保持バネ６７を介して付勢されるスライド板３７により係止ロッド２３が係止凹部２９の挿入方向へ付勢される。また、スライド板３７が下方移動端へ配置され、係止ロッド２３が係止凹部２９から抜脱される解錠状態では、保持バネ６７を介して付勢されるスライド板３７により係止ロッド２３が係止凹部２９から離反した上昇位置に保持される。
【００３５】
したがって、上記の落し錠１００によれば、レバーハンドル２１に従動して上下移動するスライド板３７と、係止ロッド２３を垂設するとともに小歯車７３及び大歯車７１を介しスライド板３７と上下逆移動されるスライドラック３１と、揺動方向の一方でスライド板３７の下降を規制するとともに他方で規制を解除するロッキングボード５３と、施解錠軸１９ａに設けられ施解錠操作手段の施錠方向の回転位置でロッキングボード５３の他方の揺動方向への揺動を阻止するダルマ４３とを備えたので、係止ロッド２３を係止凹部２９へ挿入させるスライド板３７の上端移動位置において、ロッキングボード５３がスライド板３７に係止してその下降を規制するとともに、さらにダルマ４３がロッキングボード５３に当接してロッキングボード５３の規制解除方向への揺動を阻止する。
【００３６】
つまり、ロック構造が、スライド板３７の下降を規制するロッキングボード５３と、このロッキングボード５３の規制解除を阻止するダルマ４３との２部材より構成される。これにより、施解錠軸１９ａに設けられた１部材で直接スライド板３７の下降を規制する構造に比べ、ロッキングボード５３を、スライド板３７の下降阻止専用の強度、大きさ、位置で構成でき、スライド板３７を高い信頼性で下降規制（下降ロック）できる。この結果、落し錠１００の被着体である門扉１５を揺する、レバーハンドル２１を乱暴に操作するなどの不正解錠行為に対する施錠信頼性を向上させることができる。
【００３７】
また、スライド板３７が、錠箱１７とに渡って配設された保持バネ６７によって上下移動端のいずれかに付勢配置されるので、スライド板３７が上方移動端へ配置され、係止ロッド２３が係止凹部２９へ挿入される施錠状態では、保持バネ６７を介して付勢されるスライド板３７により係止ロッド２３が係止凹部挿入方向へ付勢され、振動などによっても係止ロッド２３が容易に係止解除されなくなる。また、スライド板３７が下方移動端へ配置され、係止ロッド２３が係止凹部２９から抜脱される解錠状態では、保持バネ６７を介して付勢されるスライド板３７により係止ロッド２３が係止凹部２９から離反した上昇位置に保持され、被着体である門扉１５が開閉されても、門扉１５から係止ロッド２３が垂下して地面２５に接触することがない。
【００３８】
なお、地面２５に設ける係止凹部２９にはキャップ状部品２７を着脱自在に装着することが好ましい。これにより、係止凹部２９に進入したゴミをキャップ状部品２７の脱着によって容易に除去できる。
【００３９】
また、上記の実施の形態では、係止ロッド２３が門扉１５の下端より突出する例を説明したが、係止ロッド２３は、上端から突出しても良く、さらには上下端から同時に突出するグレモン錠用の係止ロッドであってもよい。
【図面の簡単な説明】
【００４０】
【図１】本発明に係る落し錠の備えられた門扉の正面図である。
【図２】図１に示した錠箱内部の側面図である。
【図３】図２の要部拡大図である。
【図４】図３の要部分解斜視図である。
【図５】解錠時のロッド係止状態における錠箱を（ａ）、レバーハンドル及び係止ロッドを（ｂ）に表した動作説明図である。
【図６】ロッド挿入前又は抜脱後の錠箱を（ａ）、レバーハンドル及び係止ロッドを（ｂ）に表した動作説明図である。
【図７】解錠時のロッド抜脱状態における錠箱を（ａ）、レバーハンドル及び係止ロッドを（ｂ）に表した動作説明図である。
【図８】施錠時のロッド係止状態における錠箱を（ａ）、レバーハンドル及び係止ロッドを（ｂ）に表した動作説明図である。
【符号の説明】
【００４１】
１７…錠箱
１９…錠施解錠操作手段（シリンダ錠）
１９ａ…施解錠軸
２１…レバーハンドル
２３…係止ロッド
２９…係止凹部
３１…スライドラック
３７…スライド板
４３…副規制板（ダルマ）
５３…主規制板（ロッキングボード）
６７…付勢手段（保持バネ）
７１…大歯車
７３…小歯車
１００…落し錠
【図１】
2008202345.tif 000003
【図２】
2008202345.tif 000004
【図３】
2008202345.tif 000005
【図４】
2008202345.tif 000006
【図５】
2008202345.tif 000007
【図６】
2008202345.tif 000008
【図７】
2008202345.tif 000009
【図８】
2008202345.tif 000010